(57)【特許請求の範囲】
【請求項１】
四則演算を行う四則演算手段、税計算を行う税計算手段、釣銭計算を行う釣銭計算手段および計算結果を表示する表示手段を有する買物計算機能付情報処理装置の買物計算処理方法であって、
四則演算手段が、入力された数値に基づいて買物金額を算出するステップと、
表示手段が、算出された買物金額を表示するステップと、
税計算手段が、予め定める税率と前記買物金額とから支払い金額を算出するステップと、
表示手段が、算出された支払い金額を表示するステップと、
釣銭計算手段が、入力された元金から前記支払い金額を引いて釣銭金額を算出するステップと、
買物カウント手段が、支払い金額または元金または釣銭金額を算出する回数である買物カウントを勘定するステップと、
表示手段が、前記買物カウントと支払い金額または元金または釣銭金額とを表示するステップとからなる買物計算処理方法。
【請求項２】
入力された数値に基づいて買物金額を算出する四則演算手段と、
予め定める税率と前記買物金額とから支払い金額を算出する税計算手段と、
入力された元金から前記支払い金額を引いて釣銭金額を算出する釣銭計算手段と、
前記支払い金額または元金または釣銭金額を算出する回数である買物カウントを勘定する買物カウント手段と、
前記買物カウントと支払い金額または元金または釣銭金額とを表示する表示手段とからなる買物計算機能付情報処理装置。
【請求項３】
前記表示手段は、表示している金額の種類をユーザに報知する報知手段を有することを特徴とする請求項２記載の買物計算機能付情報処理装置。
【請求項４】
前記釣銭計算手段は、元金を入力するための元金キーと釣銭を算出するための釣銭キーとを備え、
前記買物カウント手段は、前記元金キーが押されるごとに買物カウントを１増加させることを特徴とする請求項２記載の買物計算機能付情報処理装置。
【請求項５】
前記税計算手段は、税込み金額を計算するための税込キーあるいは、税抜き金額を計算するための税抜キーを備えることを特徴とする請求項２記載の買物計算機能付情報処理装置。
【請求項６】
カウント戻りキー、カウント進みキーおよび表示切替キーを有し、
買物カウント手段は、カウント戻りキーを入力するごとに表示させる買物カウントを１減少させ、カウント進みキーを入力するごとに表示させる買物カウントを１増加させ、
表示手段は、変更された買物カウントに対応する釣銭金額を表示し、表示切替キーを押すごとに、釣銭金額、元金および支払い金額を切り替えて表示することを特徴とする請求項２記載の買物機能付情報処理装置。
【請求項７】
釣銭金額、元金、支払い金額および買物カウントからなる買物データを記憶する記憶手段と、
前記買物データを前記記憶手段に記憶したまま電源をオンするデータ残留電源キーとを有し、
データ残留電源キーで電源をオンさせた場合、表示手段は、買物カウントに対応する釣銭金額を表示し、表示切替キーを押すごとに、釣銭金額、元金および支払い金額を切り替えて表示し、
買物カウント手段は、カウント戻りキーを入力するごとに表示させる買物カウントを１減少させ、カウント進みキーを入力するごとに表示され買物カウントを１増加させた後、表示手段は、変更された買物カウントに対応する前記切り替えられた金額を表示することを特徴とする請求項６記載の買物機能付情報処理装置。
【請求項８】
前記買物カウント手段は、前記表示手段が表示する買物カウントにかかわらず、前記元金キーが押されると買物カウントを１増加させることを特徴とする請求項４記載の買物計算機能付情報処理装置。
【請求項９】
前記記憶手段に記憶された買物データを全て消去して電源をＯＮするデータ消去電源キーを有することを特徴とする請求項７記載の買物計算機能付情報処理装置。
【請求項１０】
前記四則演算手段のみが動作する場合は、前記買物カウント手段は、買物カウントを増加しないことを特徴とする請求項２記載の買物計算機能付情報処理装置。
【請求項１１】
前記買物カウント手段は、元金キーが押された後に、前記データ残留電源キーを押すことで買物カウントを１減少させることを特徴とする請求項７記載の買物機能付情報処理装置。
【請求項１２】
コンピュータを、入力された数値に基づいて買物金額を算出する四則演算手段と、
予め定める税率と前記買物金額とから支払い金額を算出する税計算手段と、
入力された元金から前記支払い金額を引いて釣銭金額を算出する釣銭計算手段と、
前記支払い金額または元金または釣銭金額を算出する回数である買物カウントを勘定する買物カウント手段と、
前記買物カウントと支払い金額または元金または釣銭金額とを表示する表示手段として機能させるプログラムを記憶したコンピュータ読み取り可能な記録媒体。
【発明の詳細な説明】
【０００１】
【発明の属する技術分野】
本発明は、買物時に釣銭金額などを算出する買物計算機能付情報処理装置に関する。
【０００２】
【従来の技術】
特開平７−９８７８７号公報記載の商品販売データ処理装置は、お店にある電子式キャッシュレジスタのような金銭処理装置で、通貨投入口から投入された通貨の合計金額を預かり金額として、その預かり金額と１取引における合計金額とを比較して、その預かり金額が合計金額以上のときにはその差額分を釣銭金額として自動排出する。
【０００３】
特開平１１−６６０１２号公報記載の卓上加減乗除計算機は、検算計算のできる電卓であり、入力した数値に対応して、２個別々のカウンタに入力項番号と総入力項数を表示できるようにし、後で検算するときに修正および再計算などが行いやすい。
【０００４】
【発明が解決しようとする課題】
しかしながら、上述の従来技術は、客が買物する際に必要な計算を行う機能を有していない。
【０００５】
本発明の目的は、買物時に必要な計算を行う機能を有し、計算の履歴を確認することができる買物計算処理方法および買物計算機能付情報処理装置を提供することである。
【０００６】
【課題を解決するための手段】
本発明は、四則演算を行う四則演算手段、税計算を行う税計算手段、釣銭計算を行う釣銭計算手段および計算結果を表示する表示手段を有する買物計算機能付情報処理装置の買物計算処理方法であって、四則演算手段が、入力された数値に基づいて買物金額を算出するステップと、表示手段が、算出された買物金額を表示するステップと、税計算手段が、予め定める税率と前記買物金額とから支払い金額を算出するステップと、表示手段が、算出された支払い金額を表示するステップと、釣銭計算手段が、入力された元金から前記支払い金額を引いて釣銭金額を算出するステップと、買物カウント手段が、支払い金額または元金または釣銭金額を算出する回数である買物カウントを勘定するステップと、表示手段が、前記買物カウントと支払い金額または元金または釣銭金額とを表示するステップとからなる買物計算処理方法である。
【０００７】
本発明に従えば、四則演算手段が、入力された数値に基づいて買物金額を算出し、税計算手段が、予め定める税率と前記買物金額とから支払い金額を算出し、釣銭計算手段が、入力された元金から前記支払い金額を引いて釣銭金額を算出し、表示手段が、前記支払い金額または元金または釣銭金額を算出する回数である買物カウントと支払い金額または元金または釣銭金額とを表示するので、買物時に必要な計算を行う機能を有し、機能の実用性を向上することができる。
【０００８】
また本発明は、入力された数値に基づいて買物金額を算出する四則演算手段と、予め定める税率と前記買物金額とから支払い金額を算出する税計算手段と、入力された元金から前記支払い金額を引いて釣銭金額を算出する釣銭計算手段と、前記支払い金額または元金または釣銭金額を算出する回数である買物カウントを勘定する買物カウント手段と、前記買物カウントと支払い金額または元金または釣銭金額とを表示する表示手段とからなる買物計算機能付情報処理装置である。
【０００９】
本発明に従えば、入力された数値に基づいて算出される買物金額と、予め定める税率と前記買物金額とから算出される支払い金額と、入力された元金から前記支払い金額を引いて算出される釣銭金額と、前記支払い金額または元金または釣銭金額を算出する回数である買物カウントとを表示するので、買物時に必要な計算を行う機能を有し、機能の実用性を向上することができる。
【００１０】
また本発明は、前記表示手段は、表示している金額の種類をユーザに報知する報知手段を有することを特徴とする。
【００１１】
本発明に従えば、表示手段に表示している金額の種類をユーザに報知する報知手段を有するので、ユーザが表示内容を確認することができる。
【００１２】
また本発明は、前記釣銭計算手段は、元金を入力するための元金キーと釣銭を算出するための釣銭キーとを備え、前記買物カウント手段は、前記元金キーが押されるごとに買物カウントを１増加させることを特徴とする。
【００１３】
本発明に従えば、買物カウント手段は、前記元金を入力するための元金キーが押されるごとに買物カウントを１増加させるので、ユーザが買物カウントを入力しなくても、自動的に買物カウントが設定される。
【００１４】
また本発明は、前記税計算手段は、税込み金額を計算するための税込キーあるいは、税抜き金額を計算するための税抜キーを備えることを特徴とする。
【００１５】
本発明に従えば、税計算手段は、税込み金額を計算するための税込キーあるいは、税抜き金額を計算するための税抜キーを備えるので、詳細な税計算を行うことができる。
【００１６】
また本発明は、カウント戻りキー、カウント進みキーおよび表示切替キーを有し、買物カウント手段は、カウント戻りキーを入力するごとに表示させる買物カウントを１減少させ、カウント進みキーを入力するごとに表示させる買物カウントを１増加させ、表示手段は、変更された買物カウントに対応する釣銭金額を表示し、表示切替キーを押すごとに、釣銭金額、元金および支払い金額を切り替えて表示することを特徴とする。
【００１７】
本発明に従えば、カウント戻りキーを入力するごとに表示させる買物カウントを１減少させ、カウント進みキーを入力するごとに表示させる買物カウントを１増加させ、変更された買物カウントに対応する釣銭金額を表示し、表示切替キーを押すごとに、釣銭金額、元金および支払い金額を切り替えて表示するので、買物計算の履歴を確認することができる。
【００１８】
また本発明は、釣銭金額、元金、支払い金額および買物カウントからなる買物データを記憶する記憶手段と、前記買物データを前記記憶手段に記憶したまま電源をオンするデータ残留電源キーとを有し、データ残留電源キーで電源をオンさせた場合、表示手段は、買物カウントに対応する釣銭金額を表示し、表示切替キーを押すごとに、釣銭金額、元金および支払い金額を切り替えて表示し、買物カウント手段は、カウント戻りキーを入力するごとに表示させる買物カウントを１減少させ、カウント進みキーを入力するごとに表示され買物カウントを１増加させた後、表示手段は、変更された買物カウントに対応する前記切り替えられた金額を表示することを特徴とする。
【００１９】
本発明に従えば、釣銭金額、元金、買物金額および買物カウントからなる買物データを記憶手段に記憶したまま電源をオンするデータ残留電源キーを有し、データ残留電源キーで電源をオンさせた場合、買物カウントに対応する釣銭金額を表示し、表示切替キーを押すごとに、釣銭金額、元金および支払い金額を切り替えて表示し、カウント戻りキーを入力するごとに表示させる買物カウントを１減少させ、カウント進みキーを入力するごとに表示させる買物カウントを１増加させた後、変更された買物カウントに対応する前記切り替えられた金額を表示するので、一度電源をオフにしても買物計算履歴を確認することができる。
【００２０】
また本発明は、買物カウント手段は、前記表示手段が表示する買物カウントにかかわらず、前記元金キーが押されると買物カウントを１増加させることを特徴とする。
【００２１】
本発明に従えば、表示手段が表示する買物カウントにかかわらず、前記元金キーが押されると買物カウントを１増加させるので、正確に買物計算履歴を記憶することができる。
【００２２】
また本発明は、前記記憶手段に記憶された買物データを全て消去して電源をＯＮするデータ消去電源キーを有することを特徴とする。
【００２３】
本発明に従えば、前記記憶手段に記憶された買物データを全て消去して電源をＯＮするデータ消去電源キーを有するので、買物計算機能の自由度を高めることができる。
【００２４】
また本発明は、前記四則演算手段のみが動作する場合は、前記買物カウント手段は、買物カウントを増加しないことを特徴とする。
【００２５】
本発明に従えば、四則演算手段のみが動作する場合は、前記買物カウント手段は、買物カウントを増加しないので、正確に買物カウントを記録することができる。
【００２６】
本発明に従えば、元金キーが間違って押された後に、データ残留電源キーを押すことで買物カウントを１減少させるので、買物カウントの修正ができる。
【００２７】
また本発明は、コンピュータを、入力された数値に基づいて買物金額を算出する四則演算手段と、予め定める税率と前記買物金額とから支払い金額を算出する税計算手段と、入力された元金から前記支払い金額を引いて釣銭金額を算出する釣銭計算手段と、前記支払い金額または元金または釣銭金額を算出する回数である買物カウントを勘定する買物カウント手段と、前記買物カウントと支払い金額または元金または釣銭金額とを表示する表示手段として機能させるプログラムを記憶したコンピュータ読み取り可能な記録媒体である。
【００２８】
本発明に従えば、入力された数値に基づいて算出される買物金額と、予め定める税率と前記買物金額とから算出される支払い金額と、入力された元金から前記支払い金額を引いて算出される釣銭金額と、前記各金額を算出する回数である買物カウントとを表示するので、買物時に必要な計算を行う機能を有し、機能の実用性を向上することができる。
【００２９】
【発明の実施の形態】
以下、本発明の実施の形態について図面を参照して説明する。
【００３０】
図１は、本発明の実施の一形態である買物計算機能付情報処理装置の外観を示す平面図である。本実施形態においては、電子卓上計算機を買物計算機能付情報処理装置の例として説明するが、ポケットコンピュータ、携帯情報ツールおよび電子メモなどの情報処理装置に適用しても構わない。
【００３１】
電子卓上計算機１は、表示パネル２、太陽電池パネル３およびキーボード４を備える。表示パネル２は、たとえばＬＣＤ（液晶表示装置）で実現され、四則演算の計算結果、買物金額、元金、釣銭金額、買物カウントおよび表示シンボル４３などを表示する表示手段である。買物金額、元金、釣銭金額および買物カウントは、後述のキー操作によって算出される買物データである。表示シンボル４３“●”は、現在表示パネル２に表示している金額の表示をユーザに報知する報知手段であり、元金が表示されている場合は、表示パネル２上部に予め記載されている“元金”の文字の下に“●”が点灯し、釣銭金額が表示されている場合は、“お釣”の文字の下に“●”が点灯し、買物金額が表示されている場合は、“買物合計”の文字の下に“●”が点灯する。また、買物金額が税込金額である場合は、“税込”の文字が点灯し、税抜金額である場合は、“税抜”の文字が点灯する。太陽電池パネル３は、電子卓上計算機１内部の各回路および内蔵バッテリなどに電力を供給する。キーボード４は、０〜９の数値を置数するための置数キー、小数点を置数するための小数点キー“・”、四則計算を行うための加算キー“＋”、減算キー“−”、乗算キー“×”、除算キー“÷”、計算結果を得るためのイコールキー“＝”、サインチェンジキー“＋／−”、パーセントキー“％”を含む四則計算用キー４０およびお釣り計算するための“元金”キー４１、“お釣”キー４２、税計算するための“税込”キー４４、“税抜”キー４５、計算結果の履歴を見るための“↑”キー４６、“↓”キー４７、“→”キー４８、クリアキー“Ｃ・ＣＥ”４９、オールクリアキー“ＣＡ”５０を含む買物計算用キーを有する。各キー操作の詳細については後述する。
【００３２】
図２は、電子卓上計算機１の電気的構成を示すブロック図である。電子卓上計算機１は、ＣＰＵ（中央演算処理装置）１１、ＲＯＭ（リードオンリメモリ）１２、およびＲＡＭ（ランダムアクセスメモリ）１３を備え、各キーを備えるキーボード４からの入力に応じて処理を行い表示パネル２に処理結果を出力する。ＣＰＵ１１は、マスクロムおよびフラッシュロムなどで実現されるＲＯＭ１２に記憶された制御プログラムに従って、計算機全体の動作を統括的に制御する。たとえば、各種キーの読込み処理、四則計算処理、および各種計算結果の出力処理を制御する。したがって、ＲＯＭ１２にはこれらの処理のための制御プログラムが記憶される。ＲＡＭ１３は、買物データを含む各種データの一時保管のために用いられる。電源オフ時には、記憶手段であるＲＯＭ１２もしくはＲＡＭ１３のいずれかに買物データが記憶され保存される。また、ＣＰＵ１１は複数の端子を有し、各端子はキーボード４および表示パネル２が有する端子とそれぞれ接続される。
【００３３】
図３は、表示パネル２の電極および結線図である。表示パネル２は、電極、コモン信号ラインＨ１〜Ｈ４、およびセグメント信号ラインａ１〜ａ１４、ｂ１〜ｂ１４とＳ１，Ｓ２，Ｓ５〜Ｓ７を備え、また各コモン信号ラインＨ１〜Ｈ４、およびセグメント信号ラインａ１〜ａ１４、ｂ１〜ｂ１４とＳ１，Ｓ２，Ｓ５〜Ｓ７にそれぞれ接続される複数の端子を有する。
【００３４】
各端子は、ＣＰＵ１１の各端子とそれぞれ接続される。キーボード４は、前述の各種キーにそれぞれ接続される複数の端子を各々有する。各端子は、ＣＰＵ１１の各端子とそれぞれ接続される。キーボード４からの入力に基づくＣＰＵ１１の制御によって、表示パネル２の電極が表示状態となる。すなわち、ＣＰＵ１１は、計算した結果を表示パネルに表示するように表示パネルを制御することから表示駆動回路の機能を備える。さらに、ＣＰＵ１１は計算回路の機能を備える。
【００３５】
キーボード４の各キー操作と内部回路の動作について説明する。四則計算手段は、前記四則計算用キー４０、ＣＰＵ１１、ＲＯＭ１２およびＲＡＭ１３から構成され、買物金額の算出を含む通常の四則計算を行う。具体的には、四則計算用キー４０の置数キーを用いて数値が入力されると、入力された数値は記憶回路であるＲＡＭ１３に一時的に記憶され、加算、減算、乗算および除算キーのうちのいずれかを入力して計算が指定されると、ＣＰＵ１１は、入力された数値に基づいて、指定された計算を行う。計算結果はＲＡＭ１３の買物金額記憶領域に記憶されるとともに表示パネル２に表示され、表示シンボル４３は“買物合計”の下に点灯する。
【００３６】
税計算手段は、税込キー４４、税抜キー４５、ＣＰＵ１１、ＲＯＭ１２およびＲＡＭ１３から構成され、買物計算時の支払い金額を算出する。具体的には、買物金額の計算後に、税込キー４４もしくは税抜キー４５が入力されると、ＣＰＵ１１は、予め定められた税率と記憶された買物金額とから、支払い金額である税込み金額もしくは税抜き金額を算出するとともにＲＡＭ１３の支払い金額記憶領域に記憶される。
【００３７】
釣銭計算手段は、元金キー４１、お釣キー４２、ＣＰＵ１１、ＲＯＭ１２およびＲＡＭ１３から構成され、買物計算時の釣銭金額を算出する。具体的には、元金キー４１の入力に続いて数値が入力されると、ＲＡＭ１３の元金記憶領域に数値が記憶される。釣銭キーであるお釣キー４２が入力されると、ＲＡＭ１３に記憶されている元金から支払い金額を引いた金額である釣銭金額を算出するとともにＲＡＭ１３の釣銭金額記憶領域に記憶される。また、買物カウント手段であるＣＰＵ１１、ＲＯＭ１２およびＲＡＭ１３は、元金キー４１が入力されたときに次のように動作する。元金キー４１が入力されると、ＣＰＵ１１は、ＲＡＭ１３に記憶されている買物カウント（整数値）を１増加させるとともに表示買物カウントも１増加させる。なお、買物カウントは、各金額を計算した回数であり、買物金額、支払い金額および釣銭金額は買物カウントと対応付けられてＲＡＭ１３に記憶される。表示買物カウントは、表示パネル２に表示する買物カウントの値で、表示パネル２は、この値を参照し対応付けられた金額を表示する。元金キー４１入力時にのみ買物カウントが増加するので、後述の買物履歴を表示する際に表示買物カウントの値にかかわらず、元金キー４１入力時には、最大の買物カウントが１増加することになる。
【００３８】
買物履歴の表示について説明する。釣銭金額が算出された時点で、表示切替キーである“→”キー４８を入力すると、同じ買物カウントに対応付けられた買物金額および支払い金額が順番に表示される。金額が切り替わると同時に表示シンボル４３の点灯位置も金額の種類に応じて切り替わる。
【００３９】
すでに複数回の買物計算を行っていれば、カウント戻りキーである“↑”キー４６が入力されると、ＣＰＵ１１は、ＲＡＭ１３に記憶されている表示買物カウントを１減少させ、“↑”キー４６入力前に表示していた種類の金額で、減少した表示買物カウントに対応する金額を表示パネル２に表示する。また、カウント送りキーである“↓”キー４７が入力されると、ＣＰＵ１１は、ＲＡＭ１３に記憶されている表示買物カウントを１増加させ、“↓”キー４７入力前に表示していた種類の金額で、増加した表示買物カウントに対応する金額を表示パネル２に表示する。
【００４０】
ＣＰＵ１１、ＲＯＭ１２、ＲＡＭ１３および駆動回路などの動作用の電力は、電子卓上計算機１内に内蔵される電池（ＢＡＴＴ）や、表面に配置される太陽電池３から供給される。電池からは、逆流防止用のダイオード（Ｄ１）を介して電力が供給される。太陽電池からは抵抗（Ｒ１）を介して電力が供給される。太陽電池からの出力電圧が高いときには、ダイオード（Ｄ１）が逆バイアス状態となって、電池の消耗を避けることができる。太陽電池からの発電が充分にあるときには、発光ダイオード（ＬＥＤ）が点灯し、常に一定の電圧が供給される。電源回路には、バイアスのためのコンデンサ（Ｃ１）も接続される。
【００４１】
前述のように本発明の電子卓上計算機１は、電源がオフになっても買物データを記憶したＲＡＭ１２に内蔵電池から電力を供給する、もしくはフラッシュメモリ型のＲＯＭ１３に記憶させるなどして、買物データを保持することが可能である。買物データを保持した状態で、電源をオンする方法としては、データ残留電源キーである“Ｃ・ＣＥ”キー４９を入力して電源をオンする場合およびデータ消去電源キーである“ＣＡ”キー５０を入力して電源をオンする場合の２種類がある。“Ｃ・ＣＥ”キー４９を入力して電源をオンする場合は、ＲＡＭ１２もしくはＲＯＭ１３に記憶されている買物データは保持されたままであり、一度電源がオフした後でも、上記のような買物履歴を見ることができる。“ＣＡ”キー５０を入力して電源をオンする場合は、ＲＡＭ１２もしくはＲＯＭ１３に記憶されている買物データを消去する。また、“Ｃ・ＣＥ”キー４９は、買物カウントを１減少させることが可能で、誤って元金キー４１を入力して買物カウントを１増加させた場合に修正することができる。
【００４２】
以上の処理は、コンピュータで読取り可能な記録媒体に記憶されたプログラムによって実現される。本発明では、この記録媒体として、マイクロコンピュータで実現されるＣＰＵ１１によって処理が行われるために必要なメモリ、たとえばＲＯＭ１２そのものがプログラムメディアであってもよいし、また図示していないが外部記憶装置としてプログラム読取り装置が設けられ、そこに記録媒体を挿入することで読取り可能なプログラム記録媒体であってもよい。いずれの場合においても、格納されているプログラムはＣＰＵ１１がアクセスして実行させる構成であってもよいし、あるいはいずれの場合もプログラムを読出し、読出されたプログラムは、マイクロコンピュータの図示されていないプログラム記録エリアにダウンロードされて、そのプログラムが実行される方式であってもよい。
【００４３】
このダウンロード用のプログラムは、予め本体装置に格納されているものとする。ここで上記プログラム記録媒体は、本体と分離可能に構成される記録媒体であり、磁気テープやカセットテープなどのテープ系、フロッピーディスクやハードディスクなどの磁気ディスクやＣＤ−ＲＯＭ／ＭＯ／ＭＤ／ＤＶＤなどの光ディスクのディスク系、ＩＣカード（メモリカードを含む）／光カードなどのカード系、あるいはマスクＲＯＭ、ＥＰＲＯＭ（Erasable Programmable ROM）、ＥＥＰＲＯＭ（Electronically Erasable and Programmable ROM）、フラッシュＲＯＭなどによる半導体メモリを含めた固定的にプログラムを把持する媒体であってもよい。
【００４４】
本実施形態における表示パネル２はＬＣＤであり、図３に示すような電極および結線によって計算結果および計算履歴などを表示する。電極群は８の字状に配置され、その組合せによって０〜９の数字を表す７つの棒状の電極と右下方に配置されて小数点を表す円状の電極を含んで構成される。それに加えて右上方に配置される３桁区切りシンボルのほぼ円状の電極とを含んで構成される。基板上に各信号線ａ１〜ａ１４、ｂ１〜ｂ１４、Ｓ１〜Ｓ７、Ｈ１〜Ｈ４をそれぞれ形成した後、各仕様の表示電極を形成することによって、基板、セグメント信号線ａ１〜ａ１４、ｂ１〜ｂ１４、Ｓ１〜Ｓ７、コモン信号線Ｈ１〜Ｈ４を共通に構成して、各表示装置を効率よく製造することができる。これは、４ビットの安価なＣＰＵが使えるように最小の本数で構成している。
【００４５】
図４は、本発明の電子卓上計算機１による買物計算処理の操作例を示す図である。なお、買物カウンタは２桁の正の整数とし、いずれの計算に対しても買物カウンタは正の方にしか進まないとしている。
【００４６】
(１)“ＣＡ”キー５０を入力するとオールクリア状態の画面が表示される。数値部、カウンタ部共に０である。
【００４７】
(２)最初の買物の置数として３００を入力すると数値部に３００が表示される。カウンタは、０をそのまま保っている。
【００４８】
(３)最初の演算子である“＋”キーを入力する。
(４)次の買物の置数として４５６を入力すると数値部に４５６が表示される。
【００４９】
(５)買物合計の演算結果を求めるために“＝”キーを入力すると、合計額の７５６が表示される。また、“買物合計”にシンボルが表示される。
【００５０】
(６)“元金”キー４１を入力すると元金シンボルが表示され、買物カウンタは＋１されて１が表示される。
【００５１】
(７)元金の置数として１０００を入力すると数値部に１０００が表示される。カウンタは、１を保っている。
【００５２】
(８)“お釣り”キー４２を入力すると釣銭金額が計算（１０００−７５６＝２４４）され２４４を表示する。また、“お釣”にシンボルが表示される。
【００５３】
(９)もしオートパワーオフしていれば、“Ｃ・ＣＥ”キー４９を入力してオンさせる。２回目の買物の置数として１５００を入力すると数値部に１５００が表示される。カウンタは、１をそのまま保っている。
【００５４】
(１０)演算子である“＋”キーを入力する。
(１１)買物の置数として２０００を入力すると数値部に２０００が表示される。
【００５５】
(１２)２回目の買物合計の演算結果を求めるために“＝”キーを入力すると合計額の３５００を表示する。また、“買物合計”にシンボが表示される。
【００５６】
(１３)買物の税込額を算出するために、“税込”キー４４を入力すると税込額の３６７５を表示する（税率５％に設定した場合）。また、“税込”が表示される。
【００５７】
(１４)“元金”キー４１を入力すると“元金”シンボルが表示され、カウンタは＋１されて２を表示する。
【００５８】
(１５)“元金”の置数として５０００を入力すると数値部に５０００が表示される。
【００５９】
(１６)“お釣”キー４２を入力すると、釣銭金額が計算（５０００−３６７５＝１３２５）され１３２５を表示する。また、“お釣”シンボルが表示される。
【００６０】
(１７)“↑”キー４６を入力すると、最初の買物の釣銭金額である２４４が表示される。表示カウンタは、−１され１が表示される。
【００６１】
(１８)“→”キー４８を入力すると、最初の買物の合計額である７５６が表示される。カウンタは、１をそのまま保っている。また、“買物合計”にシンボルが表示される。
【００６２】
(１９)さらに“→”キー４８を入力すると、最初の買物の元金である１０００が表示される。また、“元金”にシンボルが表示される。
【００６３】
(２０)さらに“→”キー４８を入力すると、最初の買物の釣銭金額である２４４が表示される。また、“お釣”にシンボルが表示される。
【００６４】
(２１)“↓”キー４７を入力すると、２回目の買物の釣銭金額である１３２５が表示される。表示カウンタは、＋１され２が表示される。
【００６５】
(２２)“→”キー４８を入力すると、２回目の買物の合計額である３６７５が表示される。カウンタは、２をそのまま保っている。また、“買物合計”にシンボルが表示される。
【００６６】
図５も図４と同じく、本発明の電子卓上計算機１による買物計算処理の操作例を示す図である。
【００６７】
(２３)たとえば家に帰ってから買物の確認をする場合に、“Ｃ・ＣＥ”キー４９を入力して電源をオンする。計算した回数の２が、カウンタに表示され、数値部には０が表示される。
【００６８】
(２４)“→”キー４８を入力すると、２回目の買物の釣銭金額である１３２５が表示される。また、“お釣”にシンボルが表示される。
【００６９】
(２５)“↑”キー４６を入力すると、最初の買物の釣銭金額である２４４が表示される。表示カウンタは、−１されて１が表示される。
【００７０】
(２６)ここで、再度買物に行った場合に“Ｃ・ＣＥ”キー４９で電源をＯＮすると、カウンタには、その直前に表示していたカウントである１が表示される。数値部には０が表示される。
【００７１】
(２７)３回目の買物の置数として７００を入力すると数値部に７００が表示される。カウンタは、１をそのまま保っている。
【００７２】
(２８)演算子である“＋”キーを入力する。
(２９)買物の置数として４００を入力すると数値部に４００が表示される。
【００７３】
(３０)３回目の買物合計の演算結果を求めるために“＝”キーを入力すると、合計額の１１００が表示される。また、“買物合計”にシンボルが表示される。
【００７４】
(３１)“元金”キー４１を入力すると“元金”にシンボルが表示され、カウンタは計算した最大の回数に＋１され３が表示される。
【００７５】
(３２)“元金”の置数として２０００を入力すると数値部に２０００が表示される。カウンタは３を保っている。
【００７６】
(３３)“お釣”キー４２を入力すると、釣銭金額が計算（２０００−１１００＝９００）され９００が表示される。また、“お釣”にシンボルが表示される。
【００７７】
(３４)電卓がオートパワーオフした後に、“Ｃ・ＣＥ”キー４９で再度ＯＮさせる。計算した回数である３が、カウンタに表示される。数値部には０が表示される。
【００７８】
(３５)“↑”キー４６を入力すると２回目の買物の釣銭金額である１３２５が表示される。表示カウンタは−１され２が表示される。お釣りがシンボルを表示する。
【００７９】
(３６)誤って“元金”キー４１を入力すると、カウンタは＋１され４が表示される。
(３７)“Ｃ・ＣＥ”キー４９を入力すると、カウンタは−１され修正できる。
【００８０】
ここで、図６に税率の設定と税率の確認の操作例を示す。
(１)“ＣＡ”キー５０を入力するとオールクリア状態の画面が表示される。数値部、カウンタ共に０である。
【００８１】
(２)“税込”キー４４を入力すると“税率”が表示される。
(３)税率５％の５を入力すると数値部に５が表示される。
【００８２】
(４)税率を設定するために“＝”キーを入力して確定する。
(５)“ＣＡ”キー５０を入力するとオールクリア状態の画面が表示される。数値部、カウンタ共に０である。
【００８３】
(６)“税抜”キー４５を入力すると設定されている税率５％を示す５が表示される。また、“税率”にシンボルが表示される。
【００８４】
図７は、本発明の電子卓上計算機１による買物計算処理を示すフローチャートである。
【００８５】
ステップｓ１で“ＣＡ”キー５０が入力されたかどうかを判断する。入力されていればステップｓ２に進み、数字キーが入力されたかどうかを判断する。数字キーが入力されていればステップｓ３に進み、“税込”キー４４か“税抜”キー４５が入力されたかどうかを判断する。入力されていればステップ６に進み、入力された数値の税込計算を行い、税込額または税抜額を表示して処理を終了する。入力されていなければステップｓ４に進み、演算子が入力され四則計算が実施されたかどうかを判断する。実施されていなければステップｓ２に戻り、実施されていればステップｓ５に進む。ステップｓ５では、四則計算の結果を表示し、“買物合計”にシンボルを表示する。ステップｓ７では、“税込”キー４４か“税抜”キー４５が入力されたかどうかを判断し、入力されていればステップｓ８で買物金額の税計算を行い、税込額または税抜額を表示してステップｓ９に進む。入力されていなければステップｓ９に進み、“元金”キー４１が入力されたかどうかを判断する。“元金”キー４１が入力されていなければ、ステップｓ２に戻り、入力されていればステップｓ１０に進む。ステップｓ１０では、買物カウンタの値＋１を表示する。また、数値部を０にして、“元金”にシンボルを表示する。ステップｓ１１では、数字キーが入力されたかどうかを判断し、入力されていなければ待機し、入力されていればステップｓ１２に進む。ステップｓ１２では、入力された元金の額の表示をしてステップｓ１３に進む。ステップｓ１３で“お釣”キー４２が入力されたかどうかを判断し、入力されていなければ待機し、入力されていればステップｓ１４に進む。ステップｓ１４では、元金の値−支払い金額の値（釣銭金額）を表示してステップｓ１５に進む。
【００８６】
ステップｓ２において、数字キーが入力されていなければ税率設定・確認処理に移り、ステップｓ２３に進む。ステップ２３では、“税込”キー４４が入力されたかどうかを判断し、入力されていればステップｓ２４に進んで税率設定モードになる。ステップｓ２５で、税率の値の数字が入力されたかどうかを判断し、入力されていなければ待機し、入力されていればステップｓ２６に進む。ステップｓ２６では、入力された数値を税率としてＲＡＭ１３に記憶する。ステップｓ２７では、“＝”キーが入力されたかどうかを判断し、入力されていなければ待機し、入力されていればステップｓ２８に進む。ステップｓ２８では税率が設定されて処理を終了する。
【００８７】
ステップｓ２３で“税込”キー４４が入力されていなければ、ステップｓ２９に進み、“税抜”キー４５が入力されたかどうかを判断する。入力されていなければステップｓ１に戻り、入力されていれば設定されている税率を表示して処理を終了する。
【００８８】
ステップｓ１５では、“↑”キー４６が入力されたかどうかを判断し、“↑”キー４６が入力されれば、ステップｓ１６で表示カウンタが２以上かどうかを判断し、入力されていなければ、ステップｓ２０に進む。表示カウンタが２以上であれば、ステップｓ１７に進んで表示カウンタの値−１を表示するとともにそのときに表示しているシンボルの金額（元金、釣銭金額、買物金額のいずれか）を表示してステップｓ１８に進み、表示カウンタが２より小さければ、ステップｓ２０に進む。ステップｓ１８では、“→”キー４８が入力されたかどうかを判断し、“→”キー４８が入力されれば、現在釣銭金額を表示していれば、買物金額表示に切換わり、現在買物金額を表示していれば、元金表示に切換わり、現在元金を表示していれば、釣銭金額表示に切換わってステップｓ１８に戻る。“→”キー４８が入力されなければ、ステップｓ２０に進み、“↓”キー４７が入力されたかどうかを判断する。“↓”キー４７が入力されなければ、ステップｓ３５に進み、“↑”キー４６か“→”キー４７が入力されていないかどうかを判断する。入力されていなければステップｓ３１に進み、入力されていればステップｓ１５に戻る。“↓”キー４７が入力されれば、ステップｓ２１で表示カウンタと買物カウンタが同じであるかどうかを判断する。同じでなければステップｓ２２に進み、表示カウンタの値＋１を表示するとともにそのときに表示しているシンボルの金額を表示してステップｓ１５に戻る。同じであればステップｓ１８に戻る。
【００８９】
ステップｓ３１では、１つのお釣り計算した後に、再度次のお釣り計算するための数字キーが入力されたかどうかを判断する。入力されていればステップｓ３に進む。入力されていなければ、たとえば家に帰ってから買物の確認をするために、“Ｃ・ＣＥ”キー４９で電源をオンしたかどうかを判断する。“Ｃ・ＣＥ”キー４９で電源をオンしなければ処理を終了し、“Ｃ・ＣＥ”キー４９で電源をオンすればステップｓ３３に進む。ステップｓ３３では、“Ｃ・ＣＥ”キー４９の入力が“元金”キー４１の修正かどうかを判断する。修正であればステップｓ３４で、現在表示されている表示カウンタ値−１を表示して数値部を０にする。修正でなければステップｓ１５に進む。
【００９０】
また、表示パネル２におけるシンボルの点灯は、たとえば下記のように図３に示した電極を選択して行う。“元金”の下のシンボルはコモン信号Ｈ１とセグメント信号Ｓ１をＨＩＧＨにして点灯させ、“釣銭金額”の場合は、はコモン信号Ｈ３とセグメント信号Ｓ１をＨＩＧＨにして点灯させ、“買物合計”の場合は、コモン信号Ｈ４とセグメント信号Ｓ１をＨＩＧＨにして点灯させるようにする。税込シンボルはコモン信号Ｈ４とセグメント信号Ｓ６をＨＩＧＨにして点灯させ、税抜シンボルはコモン信号Ｈ４とセグメント信号Ｓ５をＨＩＧＨにして点灯させ、税率シンボルはコモン信号Ｈ１とセグメント信号Ｓ２をＨＩＧＨにして点灯させるようにする、−（マイナス）シンボルはコモン信号Ｈ２とセグメント信号Ｓ２をＨＩＧＨにして点灯させ、Ｅシンボルはコモン信号Ｈ３とセグメント信号Ｓ２をＨＩＧＨにして点灯させるようにする。カウンタの表示は数値部の表示と同じように制御されるので、コモン信号はＨ１〜Ｈ４で、セグメント信号のみカウンターシンボル専用のａ１３，ｂ１３，ａ１４，ｂ１４の組合せで、点灯させるようにする。
【００９１】
【発明の効果】
以上のように本発明によれば、買物時に必要な計算を行う機能を有し、機能の実用性を向上することができる。
【００９２】
また本発明によれば、ユーザが表示内容を確認することができる。
また本発明によれば、ユーザが買物カウントを入力しなくても、自動的に買物カウントが設定される。
【００９３】
また本発明によれば、詳細な税計算を行うことができる。
また本発明によれば、買物計算の履歴を確認することができる。
【００９４】
また本発明によれば、一度電源をオフにしても買物計算履歴を確認することができる。
【００９５】
また本発明によれば、正確に買物計算履歴を記憶することができる。
また本発明によれば、買物計算機能の自由度を高めることができる。
【００９６】
また本発明によれば、正確に買物カウントを記録することができる。
また本発明によれば、買物カウントの修正ができる。
【図面の簡単な説明】
【図１】本発明の実施の一形態である買物計算機能付情報処理装置の外観を示す平面図である。
【図２】電子卓上計算機１の電気的構成を示すブロック図である。
【図３】表示パネル２の電極および結線図である。
【図４】本発明の電子卓上計算機１による買物計算処理の操作例を示す図である。
【図５】本発明の電子卓上計算機１による買物計算処理の操作例を示す図である。
【図６】税率設定と税率確認の操作例である。
【図７】本発明の電子卓上計算機１による買物計算処理を示すフローチャートである。
【符号の説明】
１  電子卓上計算機
２  表示パネル
３  太陽電池パネル
４  キーボード
１１  ＣＰＵ（中央演算処理装置）
１２  ＲＯＭ（リードオンリメモリ）
１３  ＲＡＭ（ランダムアクセスメモリ）
４０  四則計算用キー
４１  元金キー
４２  お釣キー
４３  表示シンボル
４４  税込キー
４５  税抜キー
４６  ↑キー
４７  ↓キー
４８  →キー
４９  クリア（Ｃ・ＣＥ）キー
５０  オールクリア（ＣＡ）キー
【図１】
0003696108.tif 000002
【図２】
0003696108.tif 000003
【図３】
0003696108.tif 000004
【図４】
0003696108.tif 000005
【図５】
0003696108.tif 000006
【図６】
0003696108.tif 000007
【図７】
0003696108.tif 000008